(57)【特許請求の範囲】
【請求項１】
各々異なるアルゴリズムで並列に稼動し、無線パケットの伝送スケジュールを管理する複数のサブ制御部と、
ユーザのトラフィックの状態を検出してトラフィックの種別を示すユーザ型識別情報を判定するトラフィック観測部と、
ユーザ型識別情報に対応する前記サブ制御部を選択するパケットスケジューリング制御部と、
前記パケットスケジューリング制御部により選択されたサブ制御部が伝送スケジュールを管理する無線パケットの伝送に用いる周波数ブロックを、ユーザーの送信データに対し、配分する周波数ブロック群決定手段と
を備えることを特徴とするパケット伝送スケジュール管理システム。
【請求項２】
各々異なるアルゴリズムで並列に稼動し、無線パケットの伝送スケジュールを管理する複数のサブ制御部と、
ユーザのトラフィックの状態を検出してトラフィックの種別を示すユーザ型識別情報を判定するトラフィック観測部と、
ユーザ型識別情報と関連づけられた、ユーザー毎に定義されている契約情報、及び契約情報とトラフィックの種別に応じて要求されるサービスの品質である要求ＱｏＳ情報を参照して、各トラフィックに対応する前記サブ制御部を選択するパケットスケジューリング制御部と、
前記パケットスケジューリング制御部により選択されたサブ制御部が伝送スケジュールを管理する無線パケットの伝送に用いる周波数ブロックを、ユーザーの送信データに対し、配分する周波数ブロック群決定手段と
を備えることを特徴とするパケット伝送スケジュール管理システム。
【請求項３】
前記周波数ブロック群決定手段により周波数ブロックが配分された送信データを、シリアルデータからパラレルデータへ変換する変換部をさらに備えることを特徴とする請求項１又は２に記載のパケット伝送スケジュール管理システム。
【請求項４】
前記周波数ブロック群決定手段は、それぞれの周波数ブロック群が重なるように配分し、同一の周波数ブロックを、複数のサブ制御部に割り当てるとともに、同一の周波数ブロックにおいては、予め定めたサブ制御部の優先順位に従って配分することを特徴とする請求項１乃至３のいずれかに記載のパケット伝送スケジュール管理システム。
【請求項５】
基地局において、各々異なるアルゴリズムで無線パケットのスケジューリングを制御する複数のサブ制御部を用いて無線パケットの伝送スケジュールを管理するパケット伝送スケジュール管理方法であって、
前記基地局のトラフィック観測部によって、ユーザのトラフィックの状態を検出してトラフィックの種別を示すユーザ型識別情報を判定するステップと、
前記サブ制御部を並列に稼動させ、ユーザ型識別情報に対応するアルゴリズムにより前記無線パケットのスケジューリングを行うとともに、前記基地局のパケットスケジューリング制御部によって、ユーザ型識別情報に対応する前記サブ制御部を選択するステップと、
前記基地局の周波数ブロック群決定手段において、前記パケットスケジューリング制御部によって選択されたサブ制御部が伝送スケジュールを管理する無線パケットの伝送に用いる周波数ブロックを、ユーザーの送信データに対し、配分するステップと
を有することを特徴とするパケット伝送スケジュール管理方法。
【請求項６】
基地局において、各々異なるアルゴリズムで無線パケットのスケジューリングを制御する複数のサブ制御部を用いて無線パケットの伝送スケジュールを管理するパケット伝送スケジュール管理方法であって、
前記基地局のトラフィック観測部によって、ユーザのトラフィックの状態を検出してトラフィックの種別を示すユーザ型識別情報を判定するステップと、
前記サブ制御部を並列に稼動させ、ユーザ型識別情報に対応するアルゴリズムにより前記無線パケットのスケジューリングを行うとともに、前記基地局のパケットスケジューリング制御部によって、ユーザ型識別情報と関連づけられた、ユーザー毎に定義されている契約情報、及び契約情報とトラフィックの種別に応じて要求されるサービスの品質である要求ＱｏＳ情報を参照して、各トラフィックに対応する前記サブ制御部を選択するステップと、
前記基地局の周波数ブロック群決定手段において、前記パケットスケジューリング制御部によって選択されたサブ制御部が伝送スケジュールを管理する無線パケットの伝送に用いる周波数ブロックを、ユーザーの送信データに対し、配分するステップと
を有することを特徴とするパケット伝送スケジュール管理方法。
【請求項７】
前記周波数ブロック群決定手段により周波数ブロックが配分された送信データを、シリアルデータからパラレルデータへ変換するステップをさらに備えることを特徴とする請求項５又は６に記載のパケット伝送スケジュール管理方法。
【請求項８】
前記周波数ブロック群決定手段は、それぞれの周波数ブロック群が重なるように配分し、同一の周波数ブロックを、複数のサブ制御部に割り当てるとともに、複数のサブ制御部に割り当てられた同一の周波数ブロックにおいては、予め定めたサブ制御部の優先順位に従って配分することを特徴とする請求項５乃至７のいずれかに記載のパケット伝送スケジュール管理方法。
【発明の詳細な説明】
【技術分野】
【０００１】
本発明は、移動体通信システムにおいて、無線パケットの伝送スケジュールを管理するパケット伝送スケジュール管理システム及びパケット伝送スケジュール管理方法に関する。
【背景技術】
【０００２】
移動体通信システムにおいて、基地局と端末との間では、所定長のパケット単位でデータの伝送が行われている。複数の無線回線が存在する場合、回線の状況等において、基地局と端末との間のパケットを伝送するタイミング（スケジュール）の管理が行われている（例えば特許文献1参照）。
【０００３】
このようなパケットスケジューリングには、代表的なものとしてMaxC/I法、ProposionalFairness（PF）法、RoundRobin（RR）法等がある。中でも、PF法はセクタスループットの向上及びユーザ間のリソース割り当てにおける公平性を考慮できるスケジューリングアルゴリズムとして、CDMA2000  HDRやW-CDMA  HSDPA（第3．5世代：3．5G）等の移動体通信システムにおいて採用されている。
【０００４】
このような3．5Gの移動体通信システムで採用されているパケットスケジューラは、各ユーザのチャネル品質を考慮し、タイムスロットの割り当てを行う時間スケジューラとして機能している。
【特許文献１】特開2003-153339（図1、4頁〜6頁）
【発明の開示】
【発明が解決しようとする課題】
【０００５】
上述のような従来のパケットスケジューラでは、一般的には、単一のスケジューリングアルゴリズムでパケットの伝送を制御しているが、各々のスケジューリングアルゴリズムは、いずれも利点と欠点を併せ持っているため、異なるユーザトラフィックの特性やユーザの要求条件に対し適応的にリソース割り当てを行うことは困難であった。
【０００６】
このため、音声等の低速通信、高速データ伝送等の要求されるQoSが異なる様々なサービスをパケット伝送することが想定されている3.9G（第3.9世代）システムや4G（第4世代）の移動体通信システムにおいては、改善の余地があった。
【０００７】
本発明は、上述のような課題に鑑みてなされたものであり、トラフィックの状態に応じて無線パケットの伝送条件を制御することができるパケット伝送スケジュール管理システム及びパケット伝送スケジュール管理方法を提供することを目的とする。
【課題を解決するための手段】
【０００８】
上述の問題を解決するために、本発明に係るパケット伝送スケジュール管理システムは、各々異なるアルゴリズムで並列に稼動し、無線パケットの伝送スケジュールを管理する複数のサブ制御部と、ユーザのトラフィックの状態を検出してトラフィックの種別を示すユーザ型識別情報を判定するトラフィック観測部と、ユーザ型識別情報に対応するサブ制御部を選択するパケットスケジューリング制御部と、パケットスケジューリング制御部により選択されたサブ制御部が伝送スケジュールを管理する無線パケットの伝送に用いる周波数ブロックを、ユーザーの送信データに対し、配分する周波数ブロック群決定手段とを備えることを特徴とする。
【０００９】
また、本発明では、ユーザ型識別情報と関連づけられた、ユーザー毎に定義されている契約情報、及び契約情報とトラフィックの種別に応じて要求されるサービスの品質である要求ＱｏＳ情報を参照して、各トラフィックに対応するスケジューリング制御手段を選択することを特徴とする。
上記発明において、周波数ブロック群決定手段は、それぞれの周波数ブロック群が重なるように配分し、同一の周波数ブロックを、複数のサブ制御部に割り当てるとともに、同一の周波数ブロックにおいては、予め定めたサブ制御部の優先順位に従って配分することを特徴とする。
さらに、上記発明において、周波数ブロック群決定手段により周波数ブロックが配分された送信データを、シリアルデータからパラレルデータへ変換する変換部をさらに備えることを特徴とする。
【００１０】
また、本発明に係るパケット伝送スケジュール管理方法は、基地局において、各々異なるアルゴリズムで無線パケットのスケジューリングを制御する複数のサブ制御部を用いて無線パケットの伝送スケジュールを管理するパケット伝送スケジュール管理方法であって、基地局のトラフィック観測部によって、ユーザのトラフィックの状態を検出してトラフィックの種別を示すユーザ型識別情報を判定するステップと、サブ制御部を並列に稼動させ、ユーザ型識別情報に対応するアルゴリズムにより無線パケットのスケジューリングを行うとともに、基地局のパケットスケジューリング制御部によって、ユーザ型識別情報に対応するサブ制御部を選択するステップと、基地局の周波数ブロック群決定手段において、パケットスケジューリング制御部によって選択されたサブ制御部が伝送スケジュールを管理する無線パケットの伝送に用いる周波数ブロックを、ユーザーの送信データに対し、配分するステップとを有することを特徴とする。
【発明の効果】
【００１１】
本発明では、ユーザのトラフィックの状態を検出してトラフィックの種別を示す識別情報（ユーザ型識別情報）を出力し、ユーザ型識別情報に応じて、各々異なるアルゴリズムで無線パケットのスケジューリングを制御する複数のスケジューリング制御手段から、当該ユーザに対応する無線パケットの伝送スケジュールの管理に用いるものを選択し、選択されたスケジューリング制御手段を用いて当該ユーザに対応する無線パケットの伝送スケジュールを管理することにより、トラフィックの状態に応じて無線パケットの伝送条件を制御することできる。
【００１２】
また、サービス提供対象の各々のユーザに対応するユーザ型識別情報の分布に応じて、各スケジューリング制御手段が伝送スケジュールを管理する無線パケットの伝送に用いる周波数ブロックの配分（周波数ブロック群）を決定するようにすれば、トラフィックの実態に応じて帯域を有効に利用することができる。
【発明を実施するための最良の形態】
【００１３】
本発明は、例えば携帯電話等の端末に通信サービスを提供する移動体通信システムに適用することができる。
【００１４】
（システムの構成）
本発明の一実施例に係る移動体通信システムは、例えば図1に示すように構成された基地局100と、例えば図2に示すように構成された端末200とを備えている。この移動体通信システムは、基地局100と端末200の間で、MC-CDMA方式等のマルチキャリア変復調方式の無線通信を行うようになっている。
【００１５】
上述の図1に示す基地局100は、例えば、送信データパケットのスケジュールを管理するスケジューリング管理部120と、送信データを無線信号に変調して送信を行う送信部110と、送信部110におけるトラフィックを観測するトラフィック観測部141、ユーザトラフィックに関する情報を収集するユーザトラフィック情報収集部142等を備えている。なお、送信部110のうち、後述するモジュール111〜114，131及び132は、複数設けられており、スケジューリング管理部120によって、複数の送信チャネル、複数の無線チャネルに対するスケジューリングの管理が行われるようになっている。
【００１６】
送信部110は、例えば音声データ、通信データ等のデータストリームが供給されるデータストリーム出力部111と、データストリームの誤り訂正符号化するチャネル符号化部112と、符号化されたデータから複素シンボルを生成する一次変調部113と、変調されたデータを一時的に保持するバッファメモリ114とを備えている。
【００１７】
また、スケジューリング管理部120は、Round Robin法によりパケットのスケジューリングを行うRR（Round Robin）用サブ制御部121と、Proportional Fairness法によりパケットのスケジューリングを行うPF（Proportional Fairness）用サブ制御部122と、Maximum CIR法によりパケットのスケジューリングを行うMaxC/I（Maximum CIR）用サブ制御部123と、各々の送信チャネル毎に無線パケットの伝送スケジュールの管理に用いるRR用サブ制御部121〜MaxC/I用サブ制御部123を選択するパケットスケジューリング制御部124とを備えている。
【００１８】
RR用サブ制御部121は、RR法に従って、各ユーザ間にトラフィック差があっても順にパケット送出権を与えてパケットを送出する。PF用サブ制御部122は、PF法に従い、次式のような評価関数f(n)を用いて端末側のチャネル品質と、過去のスループットから評価値を算出し、この評価値に基づいてスロットを割り当てるユーザを決定する。  
【数１】
0004593528.tif 000002
【００１９】
また、MaxC/I用サブ制御部123は、MaxC/I法に従って、チャネル状態が最良のユーザに全てのリソースを割り当てる。なお、この移動体通信システムでは、これらのRR用サブ制御部121〜MaxC/I用サブ制御部123は、並列に稼動するようになっている。
【００２０】
送信部110は、バッファメモリ114に格納された送信チャネルのデータ（送信データ）を拡散符号化する拡散処理部131と、パケットスケジューリング制御部124からの制御に従って無線パケットの伝送に用いる無線チャネルに対応する送信サブキャリアを決定する送信サブキャリア決定部132と、送信データのシリアルパラレル変換（S/P変換）を行うS/P変換部133と、逆FFT変換を行って広帯域信号を生成する逆FFT（IFFT）部134と、送信データに対応する信号の前後にガードインターバル（GI）を付加するGI付加部135とを備えている。
【００２１】
トラフィック観測部141は、送信部110のデータストリーム出力部111から当該送信チャネルにおけるトラフィックを観測しており、この結果をユーザトラフィック情報収集部142に通知する。ユーザトラフィック情報収集部142は、ユーザ毎に定義されている契約内容に応じた契約情報151と、契約内容とトラフィックの種類等に応じて要求されるサービスの品質を示す要求QoS情報152とを取得し、例えば表1に示すようなテーブルデータを参照して、これらに対応する型を示す情報（ユーザ型：ユーザトラフィックの種別を示す識別情報）を解析して、解析結果をパケットスケジューリング制御部124に通知する。
【表１】
0004593528.tif 000003
【００２２】
各々のユーザのトラフィックがどのRR用サブ制御部121〜MaxC/I用サブ制御部123によるスケジューリングアルゴリズムのうちいずれに従うかについては、例えば上述の表1に示すように、ユーザトラフィックの特性（リアルタイム型あるいは非リアルタイム型、伝送速度、ユーザの課金契約状況等）に応じて決める。
【００２３】
この表1中のD、S及びBはトラフィックの種別を示すパラメータであり、Dはリアルタイム型（D0）か非リアルタイム型（D1）かを示すパラメータであり、Sは動画画像等の高速伝送型（S0）か音声通信等の低速伝送型（S1）かを示すパラメータであり、Bは帯域保障等のプレミア契約型（B0）かベストエフォート契約型（B1）かを示すパラメータである。これらのパラメータの状態に対応するユーザ型毎に、パケットスケジューリングに用いるアルゴリズム（RR用サブ制御部121〜MaxC/I用サブ制御部123に対応）が対応付けられて定義されている。
【００２４】
このように、ユーザ型に従ってパケットスケジューリングに用いるRR用サブ制御部121〜MaxC/I用サブ制御部123を選択することにより、ユーザトラフィックに応じたパケットスケジューリングの制御を行うことができるようになる。これにより、トラフィックの状態に応じて伝送条件を制御することができる。また、MaxC/I法は、スループットを最適化することができる反面、ユーザの間の公平性が低いが、RR法やPF法はスループットはやや劣るが、ユーザ間の公平性は高い。従って、ユーザ型に従ってスケジューリングに用いるRR用サブ制御部121〜MaxC/I用サブ制御部123を適宜選択することにより、スループットの改善とユーザ間の公平性の維持を同時に実現することができる。
【００２５】
一方、端末200は、受信した無線信号からデータストリームを抽出する受信部210を備えている。
【００２６】
受信部210は、無線信号に付加されたガードインターバルを除去するGI除去部211と、フーリエ変換を行って周波数領域の信号を抽出するFFT部212と、制御チャネルの信号を受信する制御CH受信部213と、制御チャネルの信号からシンボルの割り当てがされている周波数ブロックを判定するシンボル抽出制御部214と、シンボルが割り当てられた周波数ブロックに相当するサブキャリアを選択する割当サブキャリア選択部215と、パラレルシリアル変換を行ってシリアルデータを生成するP/S変換部216と、逆拡散処理を行う逆拡散処理部217と、無線回線の伝播路の状態を推定する伝播路推定部218と、推定結果において受信シンボルの補償を行う伝播路補償部219とを備えている。
【００２７】
さらに、受信部210は、上述の一次変調部113による処理に対応する復調処理を行う一次復調部221と、復調されたデータストリームの誤り訂正を行うチャネル復号部222とを備えている。
【００２８】
基地局100側では、データストリーム出力部111からのデータストリームはチャネル符号化部112でチャネル符号化、インタリーブ処理された後、ユーザ側の端末200が通知した品質情報（CSI）に基づき一次変調部113において適応多値変調される。一次変調後の複素シンボルは拡散処理され、バッファメモリ114を介してスケジューリング管理部120に供給される。スケジューリング管理部120では、ユーザトラフィック情報収集部142から通知されるユーザトラフィックの種別に応じて適用されるスケジユーリングアルゴリズムが選択された後、複素シンボルを送信する周波数ブロックの割り当てを行う。ここで、周波数ブロック毎にユーザインデックス情報と変調多値数情報もあわせて送信する。
【００２９】
送信サブキャリア決定部132により全ての周波数ブロックにおいて送信されるユーザシンボルが決定された後、S/P変換部133によりシリアルパラレル変換を行い、IFFT部134により逆フーリエ変換を行い、さらにGI付加部135によりガードインターバル（GI）を付加して送信信号（MC-CDMAシンボル）を生成する。
【００３０】
また、端末200側では、GI除去部211により受信信号からガードインターバルを除去し、FFT部212によりフーリエ変換を行い、P/S変換部216によりパラレルシリアル変換を行い、逆拡散処理部217により逆拡散処理を行う。復調されたシンボルは制御CH受信部213を介して受信したユーザインデックスと変調多値数情報に基づいて（割当サブキャリア選択部215により）当該ユーザデータが格納されている周波数ブロックを識別し、一次復調部221により複素シンボルからビットストリームヘの復調を行う。復調されたビットストリームは、チャネル復号部222によりデインタリーブ、チャネル復号されて受信データ（音声データ、通信データ）が得られる。
【００３１】
ところで、この移動体通信システムでは、基地局100と端末200の間の無線パケットは、ユーザトラフィックの状態と契約内容等に応じたスケジューリングアルゴリズム（RR用サブ制御部121〜MaxC/I用サブ制御部123に対応）で、伝送スケジュールが管理されるようになっている。
【００３２】
基地局100と端末200の間の無線通信で使用する帯域は、例えば図3に示すように、複数のサブキャリアをブロック化した所定のバンド幅（△f［直行周波数間隔］×NB［サブキャリア数］）の周波数ブロック毎に分割されている。なお、この周波数ブロックの幅（△f×NB）は、相関周波数帯域幅以下となるように設定される。
【００３３】
また、本実施形態では、送信サブキャリア決定部132が、周波数領域の各スケジューリングアルゴリズムに対する割り当ての決定を行う周波数ブロック群決定手段の機能を備えている。図4は、送信サブキャリア決定部132による周波数領域の割り当て（周波数ブロック群の分配）の手順を示すフロー図である。ここでは、RR用サブ制御部121〜MaxC/I用サブ制御部123が、それぞれ送信シンボルの割り当てを行う周波数ブロック群の割合は、例えば図6に示すように、後述する評価関数に応じて、割合を可変となっている。
【００３４】
具体的に送信サブキャリア決定部132は、図4に示すように、初期設定により配分された周波数ブロック群（S11）について、トラフィック観測部141により観測（S12）された接続ユーザ数、想定トラフィック量、ユーザ型等に基づいて各端末のチャネル品質を継続的に算出し、次式のような評価関数f(i)を用いて評価値を算出しこの評価値に基づいて周波数ブロック群の配分を決定し、スロットを割り当てるユーザを決定する（S13）。
【００３５】
詳述すると、この周波数ブロックの決定に際して、トラフィック観測部141は、接続ユーザ数、想定トラフィック量、ユーザ型等を観測しており、分布を例えば次式に示す評価関数によって評価する。
【数２】
0004593528.tif 000004
なお、miはユーザ型iのユーザ数であり、tiはユーザ型iの平均伝送速度であり、kはユーザ型の総数である。
【００３６】
例えば、ユーザ型の総数kが3であり、初期状態では、各スケジューリングアルゴリズムに対する割り当ては3等分であるが、上記評価関数に基づいて、ユーザ型1〜ユーザ型3の評価関数の比率f（1）：f（2）：f（3）が、1：2：2である場合、例えば図7に示すように、各々のユーザ型に対応するRR用サブ制御部121〜MaxC/I用サブ制御部123に、当該比率1：2：2に従って周波数ブロックを割り当てる。
【００３７】
例えば総サブキャリア数が1024で、各ブロック当たり8サブキャリアであれば、総周波数ブロック数は128である。この128の周波数ブロックを上述の比に従って割り当てると、MaxC/I用サブ制御部123用に51ブロックで構成される周波数ブロック群、PF用サブ制御部122用に51ブロックで構成される周波数ブロック群、RR用サブ制御部121用に26ブロックで構成される周波数ブロック群の割り当てとなる。
【００３８】
なお、この周波数ブロック群の割合は、本実施形態では、図6に示すように、評価関数に応じて可変とするが、本発明はこれに限定されるものではなく、予め固定しておいてもよく、単純に全ての周波数ブロックを3分割してもよいし、各スケジューリングアルゴリズムが扱うユーザトラフィックの比率に応じて比例配分してもよい。また、各々のRR用サブ制御部121〜MaxC/I用サブ制御部123で、図7に示すように異なる周波数ブロックに対して割り当てを行うようにしてもよい。また、図8に示すように、それぞれの周波数ブロック群が重なるように配分して、同一の周波数ブロックの割り当てを行うようにしてもよい。この場合は、予め、MaxC/I、PF及びRR間で割り当ての優先順位を決めておけばよい。
【００３９】
（パケット伝送スケジュール管理方法）
以上の構成を有するパケット伝送スケジュール管理システムを動作させることによって、本発明のパケット伝送スケジュール管理方法を実施することができる。図5は、本実施形態に係るパケット伝送スケジュール管理システムの動作を示すフローチャート図である。ここでは、例えばユーザ型に対応するユーザトラフィックの分布に応じて、各RR用サブ制御部121〜MaxC/I用サブ制御部123に対応する周波数ブロックの割り当てを行う場合を例に説明する。
【００４０】
まず、トラフィック観測部141によって入力データ（データストリーム）を監視し、各入力データのユーザタイプを判定し（S101）、ユーザトラフィック情報収集部142は、契約情報や要求QoS情報に基づくテーブルデータを用いて、ユーザタイプと関連づけられたスケジューリングアルゴリズムを参照する（S102）。そして、スケジューリングアルゴリズムに対する割り当て周波数ブロック群を選択する（S103）。
【００４１】
次いで、各ユーザタイプに応じたスケジューリングアルゴリズムを決定する。例えば、ユーザがタイプ1である場合には、RR用アルゴリズムを用いて、RR用周波数ブロックにおいて割り当てユーザを決定し（S105〜S106）、ユーザがタイプ3である場合には、PF用アルゴリズムを用いて、PF用周波数ブロックにおいて割り当てユーザを決定し（S107〜S110）、ユーザがタイプ2である場合には、MaxC/I用アルゴリズムを用いて、MaxC/I用周波数ブロックにおいて割り当てユーザを決定する（S111〜S114）。
【００４２】
なお、上述したタイプ2及び3の場合では、トラフィック観測部141は、ユーザ側から受信品質の報告を受け（S108又はS112）、受信品質に応じて周波数ブロックの割り当てを行う（S109〜S110、S113〜S114）。また特に、本実施形態では、ユーザがタイプ3であるときには、さらに、ユーザ毎の評価関数値を算出し、その算出結果も考慮して周波数ブロックの割り当てを行う（S109）。
【００４３】
このように、ユーザ型の分布に従って周波数ブロックの割り当てを制御することにより、トラフィックの実態に応じて帯域を有効に利用することができる。
【図面の簡単な説明】
【００４４】
【図１】実施形態に係る無線通信システムを構成する基地局の構成例を示すブロック図である。
【図２】実施形態に係る無線通信システムを構成する端末の構成例を示すブロック図である。
【図３】周波数ブロックの例を示す概念図である。
【図４】実施形態に係る無線通信システムにおける、周波数ブロック群の配分処理を示すフローチャート図である。
【図５】実施形態に係る無線通信システムにおける、周波数ブロックの割り当て処理を示すフローチャート図である。
【図６】周波数ブロックの割り当ての例を示す概念図である。
【図７】周波数ブロックの割り当ての他の例を示す概念図である。
【図８】周波数ブロックの割り当ての他の例を示す概念図である。
【符号の説明】
【００４５】
100…基地局
110…送信部
111…データストリーム出力部
112…チャネル符号化部
113…一次変調部
114…バッファメモリ
120…スケジューリング管理部
121…RR用サブ制御部
122…PF用サブ制御部
123…MaxC/I用サブ制御部
124…パケットスケジューリング制御部
131…拡散処理部
132…送信サブキャリア決定部
133…S/P変換部
134…IFFT部
135…GI付加部
141…トラフィック観測部
142…ユーザトラフィック情報収集部
151…契約情報
152…要求QoS情報
200…端末
210…受信部
211…GI除去部
212…FFT部
213…制御CH受信部
214…シンボル抽出制御部
215…割当サブキャリア選択部
216…P/S変換部
217…逆拡散処理部
218…伝播路推定部
219…伝播路補償部
221…一次復調部
222…チャネル復号部
【図１】
0004593528.tif 000005
【図２】
0004593528.tif 000006
【図３】
0004593528.tif 000007
【図４】
0004593528.tif 000008
【図５】
0004593528.tif 000009
【図６】
0004593528.tif 000010
【図７】
0004593528.tif 000011
【図８】
0004593528.tif 000012